(57)【要約】【課題】妨害信号を減衰させ、２つの異なる周波数帯域の放送信号を通過させることが可能な高周波フィルタ回路を提供すること。【解決手段】上側帯域及び下側帯域の２つの帯域を有する放送信号を通過させて後段の放送信号受信回路に供給する高周波フィルタ回路（１）であって、上側帯域及び下側帯域の放送信号が入力される入力端子（１１）と、入力端子（１１）に接続され、上側帯域の放送信号を通過させる伝送特性を有し、下側帯域の入力インピーダンスがハイインピーダンスに設定された第１のフィルタ部と、入力端子（１１）に接続され、下側帯域の放送信号を通過させる伝送特性を有し、上側帯域の入力インピーダンスがハイインピーダンスに設定された第２のフィルタ部と、を具備することを特徴とする。【選択図】図１
2012186773.tif 000002
【特許請求の範囲】
【請求項１】
上側帯域及び下側帯域の２つの帯域を有する放送信号を通過させて後段の放送信号受信回路に供給する高周波フィルタ回路であって、
前記上側帯域及び前記下側帯域の放送信号が入力される入力端子と、
前記入力端子に接続され、前記上側帯域の放送信号を通過させる伝送特性を有し、前記下側帯域の入力インピーダンスがハイインピーダンスに設定された第１のフィルタ部と、
前記入力端子に接続され、前記下側帯域の放送信号を通過させる伝送特性を有し、前記上側帯域の入力インピーダンスがハイインピーダンスに設定された第２のフィルタ部と、
を具備することを特徴とする高周波フィルタ回路。
【請求項２】
前記第１のフィルタ部は、前記上側帯域の高域側に隣接する特定周波数を減衰させるノッチフィルタ機能を有することを特徴とする請求項１に記載の高周波フィルタ回路。
【請求項３】
前記第２のフィルタ部は、前記入力端子に接続され前記下側帯域よりも高域を阻止帯域とするローパスフィルタと、当該ローパスフィルタの後段に接続され前記下側帯域よりも低域を阻止帯域とするハイパスフィルタと、からなることを特徴とする請求項１又は請求項２記載の高周波フィルタ回路。
【請求項４】
前記第２のフィルタ部は、前記入力端子に接続され前記下側帯域よりも高域を阻止帯域とするローパスフィルタからなることを特徴とする請求項１又は請求項２記載の高周波フィルタ回路。
【請求項５】
前記第２のフィルタ部は、前記入力端子に一端が接続されたインダクタと、前記インダクタの他端に接続され前記下側帯域よりも低域を阻止帯域とするハイパスフィルタと、前記ハイパスフィルタの後段に接続され前記下側帯域よりも高域を阻止帯域とするローパスフィルタと、からなることを特徴とする請求項１又は請求項２記載の高周波フィルタ回路。
【請求項６】
前記第１のフィルタ部は、前記上側帯域の高域側に隣接する特定周波数を減衰させると共に前記上側帯域の放送信号を通過させるバンドパス型ノッチＳＡＷフィルタで構成されることを特徴とする請求項１から請求項５のいずれかに記載の高周波フィルタ回路。
【請求項７】
前記第１のフィルタ部は、前記バンドパス型ノッチＳＡＷフィルタの後段に接続されると共に前記上側帯域の高域側を阻止帯域とするローパスフィルタを有することを特徴とする請求項６記載の高周波フィルタ回路。
【請求項８】
前記第２のフィルタ部の前記ハイパスフィルタは、前記入力端子とグランドとの間に設けられ、かつ前記入力端子を接地するインダクタを含むことを特徴とする請求項３又は請求項５に記載の高周波フィルタ回路。
【請求項９】
前記第１のフィルタ部は、前記上側帯域の高域側に隣接する特定周波数を減衰させるノッチフィルタ機能を有し、前記ノッチフィルタ機能で減衰させる特定周波数は、携帯電話機向けの周波数帯域であることを特徴とする請求項１から請求項８のいずれかに記載の高周波フィルタ回路。
【発明の詳細な説明】
【技術分野】
【０００１】
本発明は、２つの異なる周波数帯域の放送信号を取り出す高周波フィルタ回路に関する。
【背景技術】
【０００２】
近年、４７０ＭＨｚ〜７７０ＭＨｚ（７１０ＭＨｚ）の周波数帯域を用いる地上デジタルテレビジョン放送を受信可能なチューナ搭載型の携帯電話機が登場している。また、アナログ停波による空き周波数帯域（２０７．５ＭＨｚ〜２２２ＭＨｚ）を用いた携帯端末向けマルチメディア放送の開始が予定されており、今後、携帯端末向けマルチメディア放送を受信可能な携帯電話機の需要が予想される。
【０００３】
携帯電話機のような携帯端末は、小型化の観点から、地上デジタルテレビジョン放送を受信可能なチューナと携帯端末向けマルチメディア放送を受信可能なチューナとを一体にした受信モジュールの搭載が要望されている。また、これらの放送信号を受信するアンテナとして２つの周波数帯域を共に受信可能な共用アンテナの搭載を求められる。上述したような共用アンテナを用いる受信モジュールは、各周波数帯域の放送に対応した受信回路を備えており、各受信回路には受信放送信号を分岐した対応する周波数帯域の放送信号が入力される。このような受信モジュールでは、放送信号の良好な受信環境を実現するために、携帯電話周波数のような妨害信号を減衰させる専用のノッチフィルタを、受信モジュールの前段に設ける必要がある。
【先行技術文献】
【特許文献】
【０００４】
【特許文献１】特開２００８−３０１２２３号公報
【発明の概要】
【発明が解決しようとする課題】
【０００５】
本発明はかかる点に鑑みてなされたものであり、受信モジュールの前段に専用のノッチフィルタを設けることなく妨害信号を減衰でき、部品点数の削減及び小型化が容易な高周波フィルタ回路の提供を目的とする。
【課題を解決するための手段】
【０００６】
本発明の高周波フィルタ回路は、上側帯域及び下側帯域の２つの帯域を有する放送信号を通過させて後段の放送信号受信回路に供給する高周波フィルタ回路であって、前記上側帯域及び前記下側帯域の放送信号が入力される入力端子と、前記入力端子に接続され、前記上側帯域の放送信号を通過させる伝送特性を有し、前記下側帯域の入力インピーダンスがハイインピーダンスに設定された第１のフィルタ部と、前記入力端子に接続され、前記下側帯域の放送信号を通過させる伝送特性を有し、前記上側帯域の入力インピーダンスがハイインピーダンスに設定された第２のフィルタ部と、を具備することを特徴とする。
【０００７】
この構成によれば、上側帯域の放送信号を通過させる伝送特性を有し、下側帯域の入力インピーダンスがハイインピーダンスに設定された第１のフィルタ部により、下側帯域の放送信号を減衰させることなく、上側帯域の放送信号を通過させることができ、例えば上側帯域よりも高域側に現れる妨害信号の通過は阻止されるので、妨害信号を減衰できる。また、下側帯域の放送信号を通過させる伝送特性を有し、上側帯域の入力インピーダンスがハイインピーダンスに設定された第２のフィルタ部により、上側帯域の放送信号を減衰させることなく、下側帯域の放送信号を通過させることができる。
【０００８】
本発明の高周波フィルタ回路において、前記第１のフィルタ部は、前記上側帯域の高域側に隣接する特定周波数を減衰させるノッチフィルタ機能を有しても良い。
【０００９】
この構成によれば、第１のフィルタ部に含まれるノッチフィルタ機能によって所定周波数帯域の信号を急峻に減衰させることができるため、第１の周波数帯域に近接する周波数帯域の妨害信号が存在する場合でも、妨害信号を減衰させることができる。
【００１０】
本発明の高周波フィルタ回路において、前記第２のフィルタ部は、前記入力端子に接続され前記下側帯域よりも高域を阻止帯域とするローパスフィルタと、当該ローパスフィルタの後段に接続され前記下側帯域よりも低域を阻止帯域とするハイパスフィルタと、からなっても良い。
【００１１】
本発明の高周波フィルタ回路において、前記第２のフィルタ部は、前記入力端子に接続され前記下側帯域よりも高域を阻止帯域とするローパスフィルタからなっても良い。
【００１２】
本発明の高周波フィルタ回路において、前記第２のフィルタ部は、前記入力端子に一端が接続されたインダクタと、前記インダクタの他端に接続され前記下側帯域よりも低域を阻止帯域とするハイパスフィルタと、前記ハイパスフィルタの後段に接続され前記下側帯域よりも高域を阻止帯域とするローパスフィルタと、からなっても良い。
【００１３】
本発明の高周波フィルタ回路において、前記第１のフィルタ部は、前記上側帯域の高域側に隣接する特定周波数を減衰させると共に前記上側帯域の放送信号を通過させるバンドパス型ノッチＳＡＷフィルタで構成されても良い。
【００１４】
本発明の高周波フィルタ回路において、前記第１のフィルタ部は、前記バンドパス型ノッチＳＡＷフィルタの後段に接続されると共に前記上側帯域の高域側を阻止帯域とするローパスフィルタを有しても良い。
【００１５】
本発明の高周波フィルタ回路において、前記第２のフィルタ部の前記ハイパスフィルタは、前記入力端子とグランドとの間に設けられ、かつ前記入力端子を接地するインダクタを含んでも良い。
【００１６】
この構成によれば、ハイパスフィルタのインダクタにより入力端子が接地されるため、インダクタを介して静電気を放電可能である。このため、高周波フィルタ回路に接続される受信回路などの静電気破壊を防止することができる。
【００１７】
本発明の高周波フィルタ回路において、前記第１のフィルタ部は、前記上側帯域の高域側に隣接する特定周波数を減衰させるノッチフィルタ機能を有し、前記ノッチフィルタ機能で減衰させる特定周波数は、携帯電話機向けの周波数帯域であっても良い。
【発明の効果】
【００１８】
本発明によれば、受信モジュールの前段に専用のノッチフィルタを設けることなく妨害信号を減衰でき、部品点数の削減及び小型化が容易な高周波フィルタ回路が提供される。
【図面の簡単な説明】
【００１９】
【図１】実施の形態１に係る高周波フィルタ回路の構成例を示す回路ブロック図である。
【図２】実施の形態２に係る高周波フィルタ回路の具体的回路構成例を示す回路図である。
【図３】第１の周波数帯域の信号経路に用いられるバンドパスフィルタの特性の例を示すグラフである。
【図４】第１の周波数帯域の信号経路に用いられるローパスフィルタの特性の例を示すグラフである。
【図５】第２の周波数帯域の信号経路に用いられるローパスフィルタの特性の例を示すグラフである。
【図６】第２の周波数帯域の信号経路に用いられるハイパスフィルタの特性の例を示すグラフである。
【図７】実施の形態１に係る高周波フィルタ回路の第１の周波数帯域側の伝送特性を示す特性図である。
【図８】実施の形態１に係る高周波フィルタ回路の第２の周波数帯域側の伝送特性を示す特性図である。
【図９】実施の形態２に係る高周波フィルタ回路の別の構成例を示す回路ブロック図である。
【図１０】実施の形態２に係る高周波フィルタ回路の別の具体的回路構成例を示す回路図である。
【図１１】実施の形態２に係る高周波フィルタ回路の第１の周波数帯域側の伝送特性を示す特性図である。
【図１２】実施の形態２に係る高周波フィルタ回路の第２の周波数帯域側の伝送特性を示す特性図である。
【図１３】比較例に係る高周波フィルタ回路の構成例を示す回路ブロック図である。
【発明を実施するための形態】
【００２０】
以下、図面を参照して、本発明の一実施の形態に係る高周波フィルタ回路の構成について説明する。
【００２１】
（実施の形態１）
図１は、本発明の一実施の形態に係る高周波フィルタ回路の構成例を示す回路ブロック図である。図１に示される高周波フィルタ回路１は、入力端子１１から受信放送信号（ＲＦ信号）が導入され、第１の出力端子１２から第１の周波数帯域の放送信号が出力され、第２の出力端子１３から第２の周波数帯域の放送信号が出力される。第１の周波数帯域は、地上デジタルテレビジョン放送（以下、第１の放送）に割り振られた４７０ＭＨｚ〜７７０ＭＨｚ（７１０ＭＨｚ）の周波数帯域（上側帯域）であり、第２の周波数帯域は、携帯端末向けマルチメディア放送（以下、第２の放送）に割り当てられた２０７．５ＭＨｚ〜２２２ＭＨｚの周波数帯域（下側帯域）である。
【００２２】
高周波フィルタ回路１の入力端子１１と第１の出力端子１２との間には、第１の周波数帯域よりも低域側及び高域側を阻止帯域とし、第２の周波数帯域の信号に対して高インピーダンスを示すバンドパスフィルタ１４と、第１の周波数帯域よりも高域側を阻止帯域とするローパスフィルタ１５とを含む第１のフィルタ部を備える。入力端子１１と第２の出力端子１３との間には、第２の周波数帯域よりも高域側を阻止帯域とし、第１の周波数帯域の信号に対して高インピーダンスを示すローパスフィルタ１６と、第２の周波数帯域よりも低域側を阻止帯域とするハイパスフィルタ１７とを含む第２のフィルタ部を備える。
【００２３】
バンドパスフィルタ１４は、第１の周波数帯域以外の周波数帯域の信号、特に、第２の周波数帯域の信号に対して高インピーダンスになっている。また、バンドパスフィルタ１４は、携帯電話機向けの周波数帯域（８００ＭＨｚ帯）の信号を急峻に減衰させるノッチフィルタとしての機能を有している。バンドパスフィルタ１４は、第２の周波数帯域の放送信号に対して高インピーダンスであるため、第２の周波数帯域の放送信号はバンドパスフィルタ１４で阻止されて低ロスでローパスフィルタ１６へ伝搬する。また、バンドパスフィルタ１４がノッチフィルタとして機能することにより、第１の周波数帯域の放送信号を低ロスで透過させると共に、妨害信号である携帯電話機向け周波数帯域の信号を十分に減衰させることができる。これにより、第２の周波数帯域の放送信号をローパスフィルタ１６へ導き、第１の周波数帯域の放送信号を通過させると共に第１の周波数帯域と近接する周波数帯域の妨害信号は十分に減衰させることができる。このようなバンドパスフィルタ１４としては、例えば、バンドパス型ノッチＳＡＷフィルタを用いることができる。
【００２４】
ローパスフィルタ１６は、第２の周波数帯域よりも高域側の周波数帯域である第１の周波数帯域の信号に対して高インピーダンスになっている。ローパスフィルタ１６は、第１の周波数帯域の放送信号に対して高インピーダンスであるため、第１の周波数帯域の放送信号がローパスフィルタ１６側へ流れるのを抑制し、ロスなくバンドパスフィルタ１４へ流すことができるように作用する。これにより、第１の周波数帯域の放送信号をバンドパスフィルタ１４へロスなく供給することができると共に、第２の周波数帯域の放送信号を通過させ、第２の周波数帯域よりも高域側の信号を十分に減衰させることができる。
【００２５】
ローパスフィルタ１５は、第１の周波数帯域より高い周波数帯域を阻止帯域とする伝送特性を有し、第１の周波数帯域の信号を第１の出力端子１２側に出力する。ハイパスフィルタ１７は、第２の周波数帯域より低い周波数帯域を阻止帯域とする伝送特性を有し、第２の周波数帯域の信号を第２の出力端子１３側に出力する。ローパスフィルタ１５又はハイパスフィルタ１７は用途や仕様に応じて省略しても良い。
【００２６】
図２は、図１に示される高周波フィルタ回路１の具体的な回路構成例を示す回路図である。
【００２７】
図２に示されるように、ローパスフィルタ１５は、バンドパスフィルタ１４と第１の出力端子１２との間に直列に接続されたインダクタ１５１及び１５２と、インダクタ１５１及び１５２の接続ノードに一端が接続されたインダクタ１５３と、インダクタ１５３の他端とグランドとの間に接続されたキャパシタ１５４と、を備える。ローパスフィルタ１６の具体的構成も、ローパスフィルタ１５の具体的構成と同様である。すなわち、ローパスフィルタ１６は、入力端子１１とハイパスフィルタ１７との間に直列に接続されたインダクタ１６１及び１６２と、インダクタ１６１及び１６２の接続ノードに一端が接続されたインダクタ１６３と、インダクタ１６３の他端とグランドとの間に接続されたキャパシタ１６４と、を備える。
【００２８】
ハイパスフィルタ１７は、ローパスフィルタ１６と第２の出力端子１３との間に並列に接続されたキャパシタ１７１及びインダクタ１７２と、インダクタ１７２のアンテナ側となる一端とグランドとの間に接続されたインダクタ１７３と、インダクタ１７２の他端とグランドとの間に接続されたインダクタ１７４と、を備える。
【００２９】
なお、各フィルタは上述の具体的構成に限定されない。例えばハイパスフィルタ１７は、図２に示されるような、インダクタ１７３及び１７４を介して接地電圧と接続された構成（π型）でなくともかまわない。ただし、ハイパスフィルタ１７を、インダクタ１７３及び１７４を介してグランドと接続された構成とすることにより、高周波フィルタ回路の入力端子１１側で生じた静電気を放電させることができる。これにより、第１の出力端子１２や第２の出力端子１３に接続される受信回路などの静電気破壊を防止できる。このため、ハイパスフィルタ１７を、インダクタ１７３及び１７４を介してグランドと接続された構成とすることは好ましい。
【００３０】
図３は、図１及び図２に示されるバンドパスフィルタ１４の伝送特性（周波数（ＧＨｚ）−減衰量（ｄＢ）特性）の例を示す特性図である。図３は、縦軸が減衰量、横軸が周波数を示している。図３から、第１の周波数帯域（４７０ＭＨｚ〜７７０ＭＨｚ（７１０ＭＨｚ））の減衰はほとんどないのに対して、それ以外の周波数帯域において大きく減衰していることが分かる。特に、８３０ＭＨｚ〜８４５ＭＨｚの８００ＭＨｚ帯において、急峻な減衰が見られる。これは、バンドパスフィルタ１４が８００ＭＨｚ帯の信号を減衰極とするノッチフィルタ機能を備えているためである。このようなノッチフィルタ機能を備えることで、所望信号（ここでは、４７０ＭＨｚ〜７７０ＭＨｚ（７１０ＭＨｚ）の信号）に近接する周波数帯域の妨害信号（８００ＭＨｚ帯の信号）を適切に減衰させることができる。
【００３１】
図４は、図１及び図２に示されるローパスフィルタ１５の周波数特性の例を示すグラフである。図４において、縦軸が減衰量（ｄＢ）、横軸が周波数（ＧＨｚ）を示している。図４から、第１の周波数帯域（４７０ＭＨｚ〜７７０ＭＨｚ（７１０ＭＨｚ））より高い周波数帯域では大きく減衰している。
【００３２】
図５は、図１及び図２に示されるローパスフィルタ１６の周波数特性を示す特性図である。図５において、縦軸が減衰量（ｄＢ）、横軸が周波数（ＧＨｚ）を示している。図５から、第２の周波数帯域（２０７．５ＭＨｚ〜２２２ＭＨｚ）より高い周波数帯域では大きく減衰している。
【００３３】
図６は、図１及び図２に示されるハイパスフィルタ１７の周波数特性を示す特性図である。図６において、縦軸が減衰量（ｄＢ）、横軸が周波数（ＧＨｚ）を示している。図６から、第２の周波数帯域（２０７．５ＭＨｚ〜２２２ＭＨｚ）より低い周波数帯域では大きく減衰している。
【００３４】
図７及び図８は、図３〜図６に示される特性のフィルタを含んで構成された高周波フィルタ回路１の全体の伝送特性を示す特性図である。図７は、バンドパスフィルタ１４及びローパスフィルタ１５からなる第１のフィルタ部の伝送特性を示している。図８は、ローパスフィルタ１６及びハイパスフィルタ１７からなる第２のフィルタ部の伝送特性を示している。
【００３５】
以上のように本実施の形態によれば、第１の周波数帯域の放送信号を通過させる伝送特性を有し、第２の周波数帯域の入力インピーダンスがハイインピーダンスに設定された第１のフィルタ部と、第２の周波数帯域の放送信号を通過させる伝送特性を有し、第１の周波数帯域の入力インピーダンスがハイインピーダンスに設定された第２のフィルタ部とにより妨害信号を減衰させることができる。また、第１のフィルタ部は第２の周波数帯域の入力インピーダンスがハイインピーダンスに設定され、第２のフィルタ部は第１の周波数帯域の入力インピーダンスがハイインピーダンスに設定されているため、部品点数を削減しても受信放送信号を分岐できる。このように、本実施の形態によって妨害信号を減衰でき、部品点数の削減及び小型化が容易な高周波フィルタ回路を提供することができる。また、回路構成や製造コスト、静電気破壊防止などの観点から有利な効果を得ることができる。
【００３６】
なお、本実施の形態は、他の実施の形態の構成と組み合わせて実施することができる。
【００３７】
（実施の形態２）
次に、本発明の他の実施の形態について説明する。図９は、他の実施の形態に係る高周波フィルタ回路の構成例を示す回路ブロック図である。図１に示される高周波フィルタ回路１と同一部分には同一の符号を付している。図９に示される高周波フィルタ回路２は、図１に示される高周波フィルタ回路１と同様、第１の周波数帯域の放送信号と、第２の周波数帯域の放送信号とが入力される入力端子１１と、第１の周波数帯域の放送信号が出力される第１の出力端子１２と、第２の周波数帯域の放送信号が出力される第２の出力端子１３とを備える。
【００３８】
第１の周波数帯域を伝送帯域とする第１のフィルタ部は、第１の周波数帯域よりも低域側及び高域側を阻止帯域とし、第２の周波数帯域の信号に対して高インピーダンスを示すバンドパスフィルタ１４と、第１の周波数帯域よりも高域側を阻止帯域とするローパスフィルタ１５とを備える。
【００３９】
第２の周波数帯域を伝送帯域とする第２のフィルタ部は、図１に示される高周波フィルタ回路１と比較して、ローパスフィルタ１６とハイパスフィルタ１７との接続順序が逆になるように配置されている。入力端子１１とハイパスフィルタ１７との間に、第１の周波数帯域の信号に対して高インピーダンスを示すインダクタ１８を接続している。すなわち、入力端子１１と第２の出力端子１３との間には、第１の周波数帯域に対して高インピーダンスのインダクタ１８と、第２の周波数帯域よりも低域側を阻止帯域とするハイパスフィルタ１７と、第２の周波数帯域よりも高域側を阻止帯域とするローパスフィルタ１６とを備える。
【００４０】
図１０は、図９に示される高周波フィルタ回路２の具体的な回路構成例を示す回路図である。
【００４１】
図１０に示されるように、ローパスフィルタ１５は、バンドパスフィルタ１４と第１の出力端子１２との間に直列に接続されたインダクタ１５１及び１５２と、インダクタ１５１及び１５２の接続ノードに接続されたインダクタ１５３と、インダクタ１５３とグランドとの間に接続されたキャパシタ１５４と、を備える。また、ローパスフィルタ１６は、ハイパスフィルタ１７と第２の出力端子１３との間に直列に接続されたインダクタ１６１及び１６２と、インダクタ１６１及び１６２の接続ノードに接続されたインダクタ１６３と、インダクタ１６３とグランドとの間に接続されたキャパシタ１６４と、を備える。
【００４２】
インダクタ１８は、第１の周波数帯域の信号に対して高インピーダンスなインダクタである。このインダクタ１８により、後段に配置されるハイパスフィルタ１７への第１の周波数帯域の信号の伝搬を阻止でき、第１の周波数帯域の信号をロスなくバンドパスフィルタ１４へ入力できる。
【００４３】
ハイパスフィルタ１７は、インダクタ１８とローパスフィルタ１６との間に並列に接続されたキャパシタ１７１及びインダクタ１７２と、キャパシタ１７１及びインダクタ１７２の一端と接地電圧との間に接続されたインダクタ１７３と、キャパシタ１７１及びインダクタ１７２の他端とグランドとの間に接続されたインダクタ１７４と、を備える。
【００４４】
なお、各フィルタは上述の具体的構成に限定されない。第１の出力端子１２や第２の出力端子１３に接続される受信回路などの静電気破壊を防止するという観点からは、ハイパスフィルタ１７を、インダクタ１７３及び１７４を介して接地電圧と接続された構成とすることが好ましい。また、インダクタ１８は、後段に配置されるハイパスフィルタ１７への第１の周波数帯域の信号の伝搬を阻止できる抵抗素子などに代えても良い。
【００４５】
図１１及び図１２は、図９及び図１０に示される高周波フィルタ回路２の周波数（ＧＨｚ）−減衰量（ｄＢ）特性を示すグラフである。図１１は、第１の出力端子１２側の減衰特性を示している。図１２は、第２の出力端子１３側の減衰特性を示している。また、図１１及び図１２は、縦軸が減衰量を、横軸が周波数を示している。図１１及び図１２から、図９及び図１０に示される高周波フィルタ回路２も、所望の周波数帯域の信号を通過させ、他の周波数帯域の信号を減衰させることが分かる。
【００４６】
本実施の形態に係る高周波フィルタ２でも、高周波フィルタ回路１と同様の効果を得られる。本実施の形態は、他の実施の形態の構成と組み合わせて実施することができる。
【００４７】
（比較例）
図１３は、高周波フィルタ回路の比較例を示す回路ブロック図である。高周波フィルタ回路３の入力端子３１にはローパスフィルタ３４が接続されている。また、ローパスフィルタ３４の第１の出力端子３２側には、ハイパスフィルタ３５とローパスフィルタ３６とを有し、第２の出力端子３３側には、ローパスフィルタ３７とハイパスフィルタ３８とを有する。
【００４８】
図１３に示される高周波フィルタ回路３は、ローパスフィルタ３４の後段のハイパスフィルタ３５及びローパスフィルタ３７によって、第１の周波数帯域の信号と第２の周波数帯域の信号とを分波している。このため、ハイパスフィルタ３５及びローパスフィルタ３７の回路構成が制限され、ローパスフィルタ３７とローパスフィルタ３７の後段に接続されるハイパスフィルタ３８との接続関係も固定されることになる。また、後段とのマッチング回路や回路安定性向上のための回路は個別設計が必要になる。
【００４９】
本実施の形態に係る高周波フィルタ回路１，２は、バンドパスフィルタ１４とローパスフィルタ１６とを用いて第１の周波数帯域の信号と第２の周波数帯域の信号とを分波しているため、上述した高周波フィルタ回路３と比較して回路構成の自由度が高くなる。例えば、高周波フィルタ回路として、図１（及び図２）に係る高周波フィルタ回路１と図９（及び図１０）に係る高周波フィルタ回路２とを選択可能である。これにより、マッチング回路の選択肢が増え、後段との回路マッチングが容易になる。このように、実施の形態に係る高周波フィルタ回路は、回路安定性向上の観点から選択肢が多くなるため好ましい。
【００５０】
また、実施の形態に係る高周波フィルタ回路は、高周波フィルタ回路３のようにローパスフィルタ３４を用いていないため、部品点数を削減することができる。これにより、高周波フィルタ回路３と比較して小型化することが可能である。また、高周波フィルタ回路３と比較して低コストに製造できる。
【００５１】
さらに、高周波フィルタ回路においてπ型のハイパスフィルタ１７を用いる場合、ハイパスフィルタ１７がインダクタ１７３及び１７４を介してグランドと接続されるため、高周波フィルタ回路の入力端子１１側で生じた静電気を接地電圧側に放電させることができる（図２又は図１０参照）。このため、別途、静電気放電用の素子を配置しなくとも、後段に接続される受信回路などの静電気破壊を防止できる。
【００５２】
以上のように、実施の形態に係る高周波フィルタ回路１，２は、第１の周波数帯域の放送信号を通過させる伝送特性を有し、第２の周波数帯域の入力インピーダンスがハイインピーダンスに設定された第１のフィルタ部と、第２の周波数帯域の放送信号を通過させる伝送特性を有し、第１の周波数帯域の入力インピーダンスがハイインピーダンスに設定された第２のフィルタ部とにより妨害信号を減衰させることができる。また、第１のフィルタ部は第２の周波数帯域の入力インピーダンスがハイインピーダンスに設定され、第２のフィルタ部は第１の周波数帯域の入力インピーダンスがハイインピーダンスに設定されているため、部品点数を削減しても受信放送信号を分岐できる。このように、本実施の形態によって妨害信号を減衰でき、部品点数の削減及び小型化が容易な高周波フィルタ回路を提供することができる。また、回路構成や製造コスト、静電気破壊防止などの観点から有利な効果を得ることができる。
【００５３】
なお、本発明は上記実施の形態の記載に限定されず、その効果が発揮される態様で適宜変更して実施することができる。例えば、高周波フィルタ回路を構成する各種フィルタの構成は、発明の効果が発揮される範囲内において適宜変更できる。また、各種フィルタを構成するインダクタ、キャパシタなどの素子の特性は、目的とする特性に応じて設定可能である。
【００５４】
また、高周波フィルタ回路の通過周波数帯域は、上述した第１の周波数帯域（４７０ＭＨｚ〜７１０ＭＨ（７７０ＭＨｚ））や第２の周波数帯域（２０７．５ＭＨｚ〜２２２ＭＨｚ）に限定されない。他の周波数帯域の放送を受信させる場合には、目的とする通過周波数特性が得られるように、高周波フィルタ回路を構成する各種フィルタの特性を変更すればよい。
【００５５】
その他、本発明は、本発明の範囲を逸脱しないで適宜変更して実施することができる。
【産業上の利用可能性】
【００５６】
本発明の高周波フィルタ回路は、例えば、携帯電話機における地上デジタルテレビジョン放送及び携帯端末向けマルチメディア放送の受信に有用である。
【符号の説明】
【００５７】
１、２、３  高周波フィルタ回路
１１、３１  入力端子
１２、３２  第１の出力端子
１３、３３  第２の出力端子
１４  バンドパスフィルタ
１５、１６、３４、３６、３７  ローパスフィルタ
１７、３５、３８  ハイパスフィルタ
１８  インダクタ
【図１】
2012186773.tif 000003
【図２】
2012186773.tif 000004
【図３】
2012186773.tif 000005
【図４】
2012186773.tif 000006
【図５】
2012186773.tif 000007
【図６】
2012186773.tif 000008
【図７】
2012186773.tif 000009
【図８】
2012186773.tif 000010
【図９】
2012186773.tif 000011
【図１０】
2012186773.tif 000012
【図１１】
2012186773.tif 000013
【図１２】
2012186773.tif 000014
【図１３】
2012186773.tif 000015